(57)【要約】【課題】設計及び製作が簡便であり、引き出し箪笥への設置が便利な安全システム及びこれを備えた引き出し箪笥を提供する。【解決手段】本発明の引き出し箪笥のための安全システムは、センサーとモーターの作動によってホイールを移動させることで、引き出しが開けられた場合に自動で質量中心によるバランスを取るので、幼児や子供が引き出しを開けた場合にも倒れずに均衡を維持することができるので、安全である。【選択図】図１
2019055172.tif 000002
【特許請求の範囲】
【請求項１】
引き出しを備えた引き出し箪笥用安全システムであって、
引き出しが前方に引き出される場合に信号を検出するセンシング部；
駆動源及び駆動源の作動によって線形移動するスライド部を含む駆動部；及び
センシング部の信号に応じて、引き出しが引き出された距離に対応して前記駆動部が作動するように制御する制御部；を含む、安全システム。
【請求項２】
センシング部は、引き出し箪笥の引き出しに隣接して取り付けられる一つ以上のセンサーを含み、センサーは引き出しの移動距離による移動信号を制御部に伝送する、請求項１に記載の安全システム。
【請求項３】
制御部は、ＣＰＵ、メモリ、通信モジュール及び駆動ドライバーを含み、前記メモリにはセンシング部が感知した移動信号に対応する移動距離を示すデータが記憶され、制御部は前記データを判読し、駆動ドライバーを介して駆動部を作動させる、請求項２に記載の安全システム。
【請求項４】
前記駆動源はモーターであり、前記スライド部の前方には移動可能なホイールが付着される、請求項３に記載の安全システム。
【請求項５】
制御部は、複数のセンサーのうち一つのセンサーから移動信号を受信する場合、駆動部を作動させ、複数のセンサーから移動信号を受信する場合には最大移動距離を基準に駆動部を作動させる、請求項２に記載の安全システム。
【請求項６】
駆動部は引き出し箪笥の下部板の下部の左右側に沿って取り付けられた長いハウジングに収容され、
駆動部は、モーター、モーターの回転軸に連結された駆動ギア、駆動ギアの回転によって回転し、外周にネジ部が形成された線形ロッド、及びガイド孔が長く穿設され、ガイド孔の内周には前記ネジ部と噛み合う第２ネジ部が形成されたスライド部を含む、請求項５に記載の安全システム。
【請求項７】
駆動部は、前記ホイールのケーシング内に取り付けられる回転子、回転子から突出したベアリングに結合されるコイル、インバーター部及び固定子を含むインホイール駆動機構からなる、請求項５に記載の安全システム。
【請求項８】
ホイールがスライド部の中央又は後方にさらに設けられる、請求項５に記載の安全システム。
【請求項９】
前記スライド部には物体感知センサーがさらに装着され、スライド部の移動距離内に物体が検知される場合、制御部に信号を送出して駆動部の作動を中止させる、請求項５に記載の安全システム。
【請求項１０】
請求項５の安全システムを備えた、引き出し箪笥。
【発明の詳細な説明】
【技術分野】
【０００１】
本発明は引き出し箪笥による事故を防止するための安全システムに関するものである。
【背景技術】
【０００２】
一般に、引き出し箪笥は衣類などを収納して保管するための引き出しを有するもので、２段以上の多段型引き出し構造を有する。多段型引き出し構造の引き出し箪笥は引き出し内に衣類又は家庭雑物などを手軽く収納して保管するとか取り出して使えるので、幼児や子供を育てる家庭で多く使われている。
【０００３】
家庭で多く使われている多段型引き出し構造の引き出し箪笥は幼児や子供が引き出しを手軽に開けることができる構造のもので、引き出しが開いている状態で好奇心の多い幼児や子供が引き出しに掛けるとか懸垂するように引き出しにぶら下がる場合が多い。この時、引き出しに加わる力の作用によって引き出し箪笥が前方に倒れる問題が発生する。よって、このように前方に倒れる引き出し箪笥に幼児や子供が下敷きになってけがをするなどの安全事故が頻繁に発生する問題がある。
【０００４】
本出願人はこのような欠点を解消するために、韓国登録特許第１６９４９２２号公報で、引き出し箪笥の引き出しを開けば引き出し箪笥の下部のスライドバーが前進して引き出し箪笥に対する支持点を提供することによって引き出し箪笥が倒れないようにした安全装置を備えた引き出し箪笥を提案した。
【０００５】
しかし、この技術は解決策が新しいにもかかわらず、機械的機構の結合と動作伝達によって設計、製作及び組立が難しく、スライドバーの前進距離が精密に制御できない欠点があった。
【先行技術文献】
【特許文献】
【０００６】
【特許文献１】韓国登録特許第１６９４９２２号公報
【発明の概要】
【発明が解決しようとする課題】
【０００７】
したがって、本発明は設計及び製作が簡便であり、引き出し箪笥への設置が便利な安全システム及びこれを備えた引き出し箪笥を提供することを目的とする。
【課題を解決するための手段】
【０００８】
上述した目的を達成するために、本発明の一実施例による引き出し箪笥用安全システムは、引き出しが前方に引き出される場合に信号を検出するセンシング部；駆動源及び駆動源の作動によって線形移動するスライド部を含む駆動部；及びセンシング部の信号に応じて、引き出しが引き出された距離に対応して前記駆動部が作動するように制御する制御部；を含む。
【０００９】
センシング部は、引き出し箪笥の引き出しに隣接して取り付けられる一つ以上のセンサーを含むことができ、センサーは引き出しの移動距離による移動信号を制御部に伝送することができる。
【００１０】
制御部は、ＣＰＵ、メモリ、通信モジュール及び駆動ドライバーを含むことができ、前記メモリにはセンシング部が感知した移動信号に対応する移動距離を示すデータが記憶されることができ、制御部は前記データを判読し、駆動ドライバーを介して駆動部を作動させることができる。
【００１１】
前記駆動源はモーターであってもよく、前記スライド部の前方には移動可能なホイールが付着されることができる。
【００１２】
制御部は、複数のセンサーのうち一つのセンサーから移動信号を受信する場合、駆動部を作動させることができ、複数のセンサーから移動信号を受信する場合には最大移動距離を基準に駆動部を作動させることができる。
【００１３】
駆動部は引き出し箪笥の下部板の下部の左右側に沿って取り付けられた長いハウジングに収容されることができ、駆動部は、モーター、モーターの回転軸に連結された駆動ギア、駆動ギアの回転によって回転し、外周にネジ部が形成された線形ロッド、及びガイド孔が長く穿設され、ガイド孔の内周には前記ネジ部と噛み合う第２ネジ部が形成されたスライド部を含むことができる。
【００１４】
駆動部は、前記ホイールのケーシング内に取り付けられる回転子、回転子から突出したベアリングに結合されるコイル、インバーター部及び固定子を含むインホイール駆動機構からなることができる。
【００１５】
ホイールがスライド部の中央又は後方にさらに設けられることができる。
【００１６】
前記スライド部には物体感知センサーがさらに装着され、スライド部の移動距離内に物体が検知される場合、制御部に信号を送出して駆動部の作動を中止させることができる。
【発明の効果】
【００１７】
本発明は、引き出し箪笥の下部に、安全システムにおいて大きな重量を占める駆動部が取り付けられるので、引き出し箪笥を安定的に支持する効果がある。
【００１８】
本発明によれば、上側引き出しを引き出して引き出し箪笥の質量中心が上方に移動して偏向した場合、引き出し箪笥の質量中心が再び下方に復帰してバランスを取るので、子供や幼児が引き出しにぶら下がるとかかけても引き出し箪笥が倒れることを確かに防止することができる。
【００１９】
本発明によれば、引き出しを開閉する動作によって駆動部が自動で前進又は後進するので、安全システムの運営が便利である。
【図面の簡単な説明】
【００２０】
【図１】本発明の一実施例による引き出し箪笥のための安全システムの全体構成図である。
【図２】本発明の一実施例による引き出し箪笥のための安全システムの作動関係を説明するための図である。
【図３】本発明の一実施例による安全システムを備えた引き出し箪笥の縦断面図である。
【図４】本発明の他の実施例による安全システムの駆動部を示す分解斜視図である。
【発明を実施するための形態】
【００２１】
以下、本発明の幾つかの実施例を例示図面に基づいて詳細に説明する。各図の構成要素に参照符号を付け加えるに際して、同じ構成要素に対しては、たとえ相異なる図面上に表示されてもできるだけ同じ符号を付けることに留意しなければならない。また、本実施例の説明において、関連の公知構成又は機能についての具体的な説明が本実施例の要旨をあいまいにすることができると判断される場合、その詳細な説明を省略する。
【００２２】
本実施例の構成要素を説明において、第１、第２、ｉ）、ａ）、ｂ）などの符号を使うことができる。このような符号はその構成要素を他の構成要素と区別するためのものであるだけ、その符号によって該当構成要素の本質又は順番又は手順などが限定されない。また、明細書においてある部分がある構成要素を‘含む’又は‘備える’というとき、これは、他の明示的な反対の記載がない限り、他の構成要素を排除するものではなくて他の構成要素をさらに含むことができることを意味する。また、明細書において、‘連結する’、‘設置する’又は‘付着する’というとき、これは構成要素間の直接的な連結又は直接的な設置又は付着のみを意味するものではなく、間接的なもの又は他の構成要素を介した連結、設置又は付着を含むものとして最大限広義に解釈されなければならない。
【００２３】
図１は本発明の一実施例による引き出し箪笥１０のための安全システム１の全体構成図である。
【００２４】
安全システム１は、制御部Ｃ、センシング部Ｓ及び駆動部Ｍを含む。センシング部Ｓは、引き出し箪笥１０から引き出し２０が前方に引き出されるとか後方に回帰する場合に信号を検出する。制御部Ｃは、センシング部Ｓの信号に応じて、引き出し２０が引き出された距離の分だけ駆動部Ｍによってスライド部２を移動させる。制御部Ｃは、ＣＰＵ１００、メモリ１０２、通信モジュール１０４及び駆動ドライバー１０６を含む。通信モジュール１０４はセンシング部Ｓ及び駆動部Ｍと無線通信するためのものである。ただ、制御部Ｃは、例えばケーブルを介してセンシング部Ｓ及び駆動部Ｍと有線で連結されることができる。駆動ドライバー１０６は、駆動部Ｍに動作信号を送信して駆動部Ｍを制御する。
【００２５】
図２に示すように、センシング部Ｓは、それぞれの引き出し２０の背面に対向して位置する複数のセンサーＳ１、Ｓ２、．．．、Ｓｎを含む。センシング部Ｓの設置位置は限定されないが、引き出しが垂直方向に３個あれば、３個のセンサーＳ１、Ｓ２、Ｓ３が配置されることができる。それぞれのセンサーＳ１、Ｓ２、．．．、Ｓｎは、引き出し２０の前方又は後方移動及び移動距離に対応する信号を生成して制御部Ｃに伝達する。センサーＳ１、Ｓ２、．．．、Ｓｎは、引き出しの移動距離を検出するように、超音波センサーからなることができる。また、移動距離に比例してパラメーター、例えば電流値を増幅して送信するように増幅器を含むことができる。
【００２６】
制御部Ｃは、センシング部Ｓの信号に応じて引き出しの移動距離を計算し、これに対応する距離だけ駆動部Ｍを作動させる。制御部Ｃのメモリ１０２にはセンシング部Ｓの信号値、例えば電流量に対応する距離値のテーブルが記憶されている。
【００２７】
駆動部Ｍは、引き出し箪笥１０の左右下部にそれぞれ配置された駆動源としての一対のモーターＭ１、Ｍ２と、それぞれのモーターＭ１、Ｍ２に連結され、線形移動するスライド部２とを含む。スライド部２の先端にはホイール４が装着され、スライド部２の前進又は後進によってホイール４が移動する。一対のスライド部２はロッド状のブリッジ２ａによって連結されることによって、同時に同一距離だけ移動することが好ましい。
【００２８】
駆動部Ｍは、引き出し箪笥の下部に配置されて引き出し箪笥を支持するフレームに設置されることができる。例えば、図３は本発明の一実施例による安全システム１を備えた引き出し箪笥１０の縦断面図である。
【００２９】
引き出し箪笥１０の全体フレームは、正面部１２、上面板１４、背面板１６及び下部板１８からなる。フレームは全体的に方形の空間を提供する。引き出し箪笥１０には垂直方向に引き出し２０が取り付けられる。引き出し２０は前方又は後方にスライド可能である。図示の例では３段引き出しを示している。
【００３０】
センシング部ＳのセンサーＳ１、Ｓ２、Ｓ３はフレームの背面板１６においてそれぞれの引き出し２０の背面と対向する位置に取り付けられる。最上側の引き出し２０が移動する場合、引き出し２０の移動距離Ｌに対応する信号がセンサーＳ１によって検出される。センサーＳ１が、例えば超音波センサーの場合、引き出し２０が移動しなかった最短距離で送出した送信波が背面で反射されて回帰する往復時間に基づいて現在の往復時間を測定して時間遅延差を検出し、これに対応する信号が制御部Ｃに伝送される。引き出し２０の移動有無と移動距離はセンサーＳ１によって実時間で測定される。センシング部Ｓは、開けられた引き出しが閉まる場合、すなわち移動距離Ｌが小さくなる場合にも、これに対応する信号を制御部Ｃに伝送する。
【００３１】
制御部Ｃは下部板１８の下面に配置されることができる。しかし、制御部Ｃの設置位置は、センシング部Ｓ及び駆動部Ｍと交信することができる限り、限定されない。
【００３２】
制御部Ｃは、センサーＳ１、Ｓ２、Ｓ３の伝送信号を受信し、メモリ１０２に記憶された移動距離Ｌを判読する。制御部Ｃは、センサーＳ１、Ｓ２、Ｓ３のうち一つのセンサーから移動信号を受信する場合にも動作する。また、制御部Ｃは、複数のセンサーＳ１、Ｓ２、Ｓ３から移動信号を受信する場合には、最大移動距離Ｌを判読する。すなわち、一つの引き出しのみが引き出される場合にもスライド部２が前進し、多くの引き出しが同時に引き出された場合には、最も移動距離が大きな引き出しに対応する距離だけ前進する。これは、子供や幼児が引き出しを引き出すとかぶら下げる場合、幅広い安全性を確保するのに有利である。
【００３３】
駆動部Ｍは引き出し箪笥１０の下部板１８の下側に取り付けられた長いハウジング２００に収容される。ハウジング２００は引き出し箪笥１０の左右側下部に一対が取り付けられる。ハウジング２００には、図面の左側から、モーターＭ１、モーターＭ１の回転軸に連結された駆動ギア３２、及び駆動ギア３２の回転によって回転する線形ロッド３４が収容される。線形ロッド３４の外周にはネジ部３６が形成されている。
【００３４】
スライド部２の内部にはガイド孔２４が長く穿設され、ガイド孔２４の内周にはネジ部３６と螺合するネジ部２２が形成されている。スライド部２の先端には、カバー４４を介して回転可能なホイール４が付着される。
【００３５】
ハウジング２００に隣接して、引き出し箪笥１０の後側には支柱３００が形成される。支柱３００は床面と接触するようにホイール４と同一の高さに取り付けられるので、スライド部２の前後進にかかわらず、引き出し箪笥１０は均衡を維持することができる。支柱３００はハウジング２００と一体に形成されても良い。
【００３６】
ホイール４は引き出しの前方に一対が取り付けられるが、モーターＭ１に隣接したハウジング２００の下面又は中央にもっと取り付けられることができる。
【００３７】
モーターＭ１が一方向に回転すれば、線形ロッド３４が回転し、ネジ部３６と噛み合うネジ部２２を備えたスライド部２が前進する。反対に、モーターＭ１が反対方向に回転すれば、スライド部２は後進する。ハウジング２００の前面２０２と下面の一部が開放することにより、スライド部２の前進とホイール４の転動が周囲の部材との干渉を受けないようになっている。
【００３８】
駆動源としてモーターＭ１、Ｍ２を使う場合、制御部Ｃのメモリ１０２に記憶された移動距離Ｌは実際にはモーターＭ１、Ｍ２の回転方向及び回転量又は駆動時間を示すデータとなるであろう。制御部Ｃはこのデータを判読して駆動ドライバー１０６を制御し、駆動ドライバー１０６の信号に応じてモーターＭ１、Ｍ２が所定方向に所定角度（又は所定駆動時間）回転する。
【００３９】
図３は安全システム１を備えた引き出し箪笥１０の一例を示すもので、多様な変更が可能である。
【００４０】
例えば、スライド部２にラックを設けてモーターのピニオンと結合させることで、モーターの回転によってスライド部２が前進又は後進するようにすることができる。
【００４１】
制御部Ｃは無線通信方式を取るが、有線のケーブルを介してセンシング部Ｓ及び駆動部Ｍと連結されることができる。また、引き出しの移動距離Ｌがとても小さい場合には、スライド部２が動作しなく、一定距離（例えば５ｃｍ）以上の場合にだけ制御部Ｃが信号を伝送するように閾値を設定しても良い。また、メモリ１０２の移動距離Ｌに対応するデータには一定の比例係数を置くことで、引き出しの移動距離に比例してスライド部２が移動するように制御することも可能である。
【００４２】
また、スライド部２の前方に物体感知センサーをさらに装着することで、スライド部２の移動距離内で身体、例えば子供の脚又は障害物のような物体が検知される場合には、制御部Ｃに信号を送出してモーターＭ１の駆動を中止させることによって動作安全性を確保することができる。
【００４３】
図４は本発明の他の実施例による駆動部Ｍを示すもので、駆動部Ｍはホイール４の内部に装着されるインホイール（Ｉｎ−ｗｈｅｅｌ）システムで構成される。
【００４４】
具体的に、ホイール４のケーシング４２内には、図面の右側から、回転子４４、回転子４４から突出したベアリング４６に結合されるコイル、インバーター部４８及び固定子５０が収容されている。他側のホイール４も同一の構造であり、二つのホイールは共通シャフトを介して連結されることができる。符号“５２”はホイール４の周りのカバー又はシャフトを支持するための懸架部材である。
【００４５】
制御部Ｃからコイル及びインバーター部４８が駆動信号を受信すれば、インバーターが直流電力を交流電力に変換し、回転子４４に起動トルクを印加してホイール４が回転する。このようなインホイールシステムは電気自動車のインホイール駆動モーターと類似したものである。インホイールシステムを採用する場合、駆動部Ｍをよりコンパクトに配置することができ、スライド部２と周辺部材の設計が簡単で便利である。
【００４６】
以上で説明した本発明によれば、引き出し箪笥１０の下部に駆動部Ｍが取り付けられているので、引き出し箪笥１０を安定的に支持する効果がある。また、上側の引き出し２０を引き出して引き出し箪笥１０の質量中心が上方に移動して偏向した場合、スライド部２が前進して引き出し箪笥１０の質量中心が再び下方に復帰してバランスを取るので、幼児や子供が引き出し２０にぶら下がるとかかけても引き出し箪笥１０が倒れることを確かに防止することができる。また、引き出し２０を押し込んで再び閉める場合、スライド部２は自動で後進するので、安全システム１の運営が便利である。
【００４７】
以上、本発明を幾つかの実施例に基づいて説明したが、以上は例として説明したものであるだけ、本発明は次のような多様な変形が可能である。
【００４８】
例えば、駆動部Ｍの駆動源としては油圧アクチュエータのような他の動力源を活用することができ、スライド動作が円滑になるように、スライド部はスプリングのような弾性部材をさらに含むことができる。また、センシング部のセンサーは引き出しの背面に対向する位置だけでなく引き出しの前面、側面又は上面に取り付けられ、引き出しの前面又は後面の移動距離を検出することができる。また、センサーとは別個の補助センサーを引き出しの外面に取り付け、両センサー間の交信によって移動距離を検出することも可能である。
【００４９】
本発明は以下で記述する請求範囲の範囲内で多様な変更又は修正が可能である。
【００５０】
本発明の権利範囲は以下で記述する請求範囲と同一又は均等な領域まで含むという事実は明らかである。
【図１】
2019055172.tif 000003
【図２】
2019055172.tif 000004
【図３】
2019055172.tif 000005
【図４】
2019055172.tif 000006